(57)【要約】【課題】グリップ感が向上したグリップ構造、及びそれを備える電子機器及び撮影装置を提供する。【解決手段】本発明のグリップ構造１０は、本体２の筐体４に設けられた、該本体２を保持する際に把持されるグリップ基部１００と、前記グリップ基部１００の外面に取り付けられるグリップカバー２００と、を備え、前記グリップカバー２００における、前記グリップ基部１００の前記外面と接する内面に、凹凸４００が設けられていること、を特徴とする。【選択図】図２
2013186283.tif 000002
【特許請求の範囲】
【請求項１】
本体の筐体に設けられた、該本体を保持する際に把持されるグリップ基部と、
前記グリップ基部の外面に取り付けられるグリップカバーと、
を備え、
前記グリップカバーにおける、前記グリップ基部の前記外面と接する内面に、凹凸が設けられていること、
を特徴とするグリップ構造。
【請求項２】
請求項１に記載のグリップ構造であって、
前記グリップ基部の内部は、前記本体の機構部を駆動するバッテリーを収納する収納部であること、
を特徴とするグリップ構造。
【請求項３】
請求項１または２に記載のグリップ構造を備える電子機器。
【請求項４】
請求項１または２に記載のグリップ構造を備える撮影装置。
【発明の詳細な説明】
【技術分野】
【０００１】
本発明は、グリップ構造、電子機器及び撮影装置に関するものである。
【背景技術】
【０００２】
従来、カメラ等の電子機器や撮影装置には、撮影者が握るためのグリップ部が設けられているものがある（たとえば、特許文献１参照）。このようなグリップ部は、筐体に形成されたグリップ基部の外面にゴム製のグリップカバーが取り付けられて構成されている。そして、カメラを把持した際の滑り止めのため、グリップカバーの表面をシボ加工しているものがある。
【先行技術文献】
【特許文献】
【０００３】
【特許文献１】特開１０−１８８５４４号公報
【発明の概要】
【発明が解決しようとする課題】
【０００４】
しかし、シボ加工がなされて滑りが防止されていても、十分なグリップ効果が得られない場合がある。
【０００５】
本発明の課題は、グリップ感が向上したグリップ構造、及びそれを備える電子機器及び撮影装置を提供することである。
【課題を解決するための手段】
【０００６】
本発明は、以下のような解決手段により前記課題を解決する。なお、理解を容易にするために、本発明の実施形態に対応する符号を付して説明するが、これに限定されるものではない。
【０００７】
請求項１に記載の発明は、本体（２）の筐体（４）に設けられた、該本体（２）を保持する際に把持されるグリップ基部（１００）と、前記グリップ基部（１００）の外面に取り付けられるグリップカバー（２００）と、を備え、前記グリップカバー（２００）における、前記グリップ基部（１００）の前記外面と接する内面に、凹凸（４００）が設けられていること、を特徴とするグリップ構造（１０）である。
請求項２に記載の発明は、請求項１に記載のグリップ構造（１０）であって、前記グリップ基部（１００）の内部は、前記本体（２）の機構部を駆動するバッテリーを収納する収納部（１３）であること、を特徴とするグリップ構造（１０）である。
請求項３に記載の発明は、請求項１または２に記載のグリップ構造（１０）を備える電子機器（１）である。
請求項４に記載の発明は、請求項１または２に記載のグリップ構造（１０）を備える撮影装置（１）である。
なお、符号を付して説明した構成は、適宜改良してもよく、また、少なくとも一部を他の構成物に代替してもよい。
【発明の効果】
【０００８】
本発明によれば、グリップ感が向上したグリップ構造、及びそれを備える電子機器及び撮影装置を提供することを提供することできる。
【図面の簡単な説明】
【０００９】
【図１】本発明の一実施形態を適用したカメラの斜視図である。
【図２】グリップ部及びバッテリー室の概略断面図である。
【図３】グリップゴムを内面側見た図である。
【発明を実施するための形態】
【００１０】
以下、図面等を参照して、本発明の実施形態について説明する。図１は、本発明の一実施形態を適用したカメラ１の斜視図である。なお、以下に示す各図には、説明と理解を容易にするために、ＸＹＺ直交座標系を設けた。この座標系では、撮影者が撮影レンズ３の光軸を水平として横長の画像を撮影する場合のカメラ１の位置（以下、正位置という）において撮影者から見て左側に向かう方向をＸ軸プラス方向、上側に向かう方向をＹ軸プラス方向、被写体に向かう方向をＺ軸プラス方向とする。また、被写体側（Ｚ軸プラス側）を前面側、撮影者側（Ｚ軸マイナス側）を背面側ともいう。
【００１１】
図１に示すカメラ１は、カメラボディ２と、当該カメラボディ２に着脱可能な撮影レンズ３と、を備えたデジタル一眼レフカメラである。
カメラボディ２は、内部に光学的な被写体像を電気信号に変換する撮像素子（図示せず）を備え、その外周は筐体４で覆われている。また、カメラボディ２は、その使用者側から見て右側端部（Ｘ軸マイナス側の端部、図１において左側）の前面側に、グリップ部１０を備えている。
【００１２】
グリップ部１０は、水平（ＸＺ平面）断面で見て略円弧状に前面（Ｚ）側に突出している。グリップ部１０（グリップ構造）は、筐体４の一部であるグリップ基部１００と、その外面に貼着されたグリップゴム２００とを備える。
【００１３】
グリップ部１０の上面部分には、レリーズスイッチ１２や、各種操作部材が配設されている。また、グリップ基部１００の内部は、当該カメラ１に電源を供給するバッテリーを収容するバッテリー室１３が設けられている。
【００１４】
撮影レンズ３は、結像光学系を構成するレンズ群（図示せず）を備えており、入射した被写体光をカメラボディ２の撮像素子に結像させる。カメラ１は、レリーズスイッチ１２の操作に応じて、撮影レンズ３によって結像された被写体光像を撮像素子によって電気信号に変換し、これを画像情報としてカメラボディ２が備える図示しないメモリに記録（すなわち撮影）する。
【００１５】
つぎに、カメラボディ２におけるグリップ部１０の構成について詳細に説明する。図２は、グリップ部１０及びバッテリー室１３の図１におけるＡの位置でのＸＺ平面に沿った概略断面図である。図３は、グリップ基部１００から取り外した状態のグリップゴム２００を内面側（グリップ基部１００に貼着される側から）見た図である。
【００１６】
図２に示すように、グリップ基部１００は、前面（Ｚプラス）側が略Ｕ状の横断面（ＸＺ平面の断面）形状を有し、合成樹脂等によって形成されている。
グリップ基部１００の内部はバッテリー室１３となっており、底面部は開口し、蓋が開閉可能に装着されている（図示せず）。バッテリー室１３には、この開口を介してバッテリーがグリップ基部１００の長手方向（Ｙ軸方向）に出し入れされる。
【００１７】
グリップゴム２００は、グリップ基部１００の外面と対応する形状に、ゴムやエラストマー等の柔軟で可撓性を有する素材によって形成されている。
上記のように構成されたグリップゴム２００は、両面テープ４００によってグリップ基部１００の外面に接着固定されている。
【００１８】
本実施形態において、グリップゴム２００のグリップ基部側の内面には、円柱形状にグリップ基部側に突出した複数の凸部２０１が略全域にわたって均等に設けられている。
このグリップゴム２００がグリップ基部１００の外面に接着される場合、図２に示すように、凸部２０１の先端面が、グリップ基部１００の外面と接触する。そして、グリップゴム２００の内面の凸部２０１以外の部分と、グリップ基部１００の外面との間に、空間２０２が形成される。
【００１９】
上述のように、グリップ基部１００の内部にはバッテリー室１３が設けられており、内部にバッテリーが収納される。カメラ１が動作すると、カメラ１の機構部を動作させるためにバッテリーの温度が上昇する場合がある。
【００２０】
このような場合であっても、本実施形態によると、グリップ基部１００とグリップゴム２００との間に空間２０２が設けられている。このため、この空間２０２の空気によって断熱されて、グリップゴム２００の外面への熱の伝導がさらに防止される。
【００２１】
また、グリップゴム２００におけるこの空間２０２が設けられている部分は、凸部２０１が設けられている部分より薄くなっているため変形しやすい。このため、撮影者がカメラ１のグリップ部１０を把持した際、薄くなっている部分が変形し、グリップ性が向上する。すなわち、握っている部分が変形するので保持力が向上する。さらに、手触りがやわらかな感触となる。
【００２２】
以上、本実施形態によると、以下の効果を有する。
（１）バッテリー室１３の内部のバッテリーの温度が上昇しても、グリップ基部１００とグリップゴム２００との間に空間２０２が設けられているので、バッテリーの熱がグリップゴム２００の外側まで伝達しにくく、使用時に不快を感じにくくなる。
（２）また、空間２０２により、クッション性が向上し、グリップ部１０を撮影者が把持した場合、良好な使用感を得ることができる。
【００２３】
（変形形態）
以上、説明した実施形態に限定されることなく、以下に示すような種々の変形や変更が可能であり、それらも本発明の範囲内である。
（１）上記実施形態はデジタル一眼レフカメラについて説明したが、これに限定されるものではなく、たとえばフィルムを用いるスチル一眼レフカメラや、デジタルまたはフィルムを用いるレンズボディ一体型のカメラにも適用可能である。さらには、ビデオカメラや他の電子機器にも適用可能である。
【００２４】
（２）本実施形態では、グリップゴム２００の内面に設けた複数の凸部を円柱形状としたが、これに限定されない。たとえば四角柱形状、円錐形状等の他の形状であってもよい。また、凸部ではなく、複数の凹部が設けられていてもよい。
なお、実施形態及び変形形態は、適宜組み合わせて用いることもできるが、詳細な説明は省略する。また、本発明は以上説明した実施形態によって限定されることはない。
【符号の説明】
【００２５】
１：カメラ、２：カメラボディ、４：筐体、１０：グリップ部（グリップ構造）、１３：バッテリー室、１００：グリップ基部、２００：グリップゴム、２０１：凸部、２０２：空間
【図１】
2013186283.tif 000003
【図２】
2013186283.tif 000004
【図３】
2013186283.tif 000005